(57)【特許請求の範囲】
【請求項１】
天井または壁の設置面にパネルスピーカを取付けるためのパネルスピーカ取付構造であって、
前記天井または壁の設置面におけるパネルスピーカの設置位置には、取付開口部が形成され、
前記パネルスピーカは、設置面方向に突出する第１収容凹部を形成したフレームを有し、周縁部を前記フレームの前面で支持された状態で前記取付開口部を前方から被覆するように前記設置面に沿って配置される振動板と、この振動板の後面中央領域に取付けられるとともに前記第１収容凹部に収容される加振器とを備えて構成され、
前記フレームの後面に対面する対面部と、設置面方向に突出して、前記フレームの第１収容凹部を収容可能な第２収容凹部とを形成した固定兼遮音パネルが設けられ、
前記固定兼遮音パネルは、第２収容凹部を前記取付開口部に嵌め込んだ状態で、天井または壁の設置面に固定され、
前記パネルスピーカは、第１収容凹部を第２収容凹部に嵌め込んだ状態で、フレームのフック部が固定兼遮音パネルのフック受け部に係止固定されることで、天井または壁の設置面に取付けられるようになり、
さらに、前記フレームの第１収容凹部と固定兼遮音パネルの第２収容凹部との間に空隙が形成され、
前記固定兼遮音パネルの第２収容凹部の底部は中空部に形成され、この中空部に吸音材が充填されていることを特徴とするパネルスピーカ取付構造。
【請求項２】
前記固定兼遮音パネルの第２収容凹部の底部に、不均一に配列された複数の制振用リブが取付けられていることを特徴とする請求項１に記載のパネルスピーカ取付構造。
【発明の詳細な説明】
【技術分野】
【０００１】
本発明は、パネルスピーカ取付構造に関する。
【背景技術】
【０００２】
従来、天井または壁の設置面にパネルスピーカを取付けるためのパネルスピーカ取付構造がある（特許文献１参照）。
【０００３】
このようなパネルスピーカにおいて、充分な音響特性を得るためには、設置面方向に大きく突出する大型の加振器を設ける必要がある。しかし、パネルスピーカの厚みが増加するので、居室空間の意匠を阻害するおそれがある。
【０００４】
そこで、図４に示すように、パネルスピーカ１を、例えば、天井等の設置面２の方向に突出する収容凹部３ａを有するフレーム３と、このフレーム３の前面に取付ける振動板４と、収容凹部３ａの底面と振動板４の後面とに取付ける加振器５とで構成する。
【０００５】
そして、固定パネル６を天井等の設置面２に固定して、フレーム３の収容凹部３ａを天井等の設置面２の取付開口部２ａに納めながら、フレーム３を固定パネル６に固定することで、パネルスピーカ１が天井等の設置面２に取付けられるようになる。
【特許文献１】特開平８−１７２６９０号公報
【発明の開示】
【発明が解決しようとする課題】
【０００６】
しかしながら、天井等の設置面２の取付開口部２ａにフレーム３の収容凹部３ａ、つまり加振器５を納めているから、パネルスピーカ１の後部から発生する音ａが上階の床７から上室に漏れることがある（符号ｂ参照）。また、設置面２が壁であれば、壁から隣室に漏れることになる。
【０００７】
本発明は、前記問題を解消するためになされたもので、天井等の設置面の取付開口部に加振器を納めるタイプであっても、上階や隣室に音が漏れないように工夫したパネルスピーカ取付構造を提供することを目的とするものである。
【課題を解決するための手段】
【０００８】
前記課題を解決するために、本発明は、天井または壁の設置面にパネルスピーカを取付けるためのパネルスピーカ取付構造であって、前記天井または壁の設置面におけるパネルスピーカの設置位置には、取付開口部が形成され、前記パネルスピーカは、設置面方向に突出する第１収容凹部を形成したフレームを有し、周縁部を前記フレームの前面で支持された状態で前記取付開口部を前方から被覆するように前記設置面に沿って配置される振動板と、この振動板の後面中央領域に取付けられるとともに前記第１収容凹部に収容される加振器とを備えて構成され、前記フレームの後面に対面する対面部と、設置面方向に突出して、前記フレームの第１収容凹部を収容可能な第２収容凹部とを形成した固定兼遮音パネルが設けられ、前記固定兼遮音パネルは、第２収容凹部を前記取付開口部に嵌め込んだ状態で、天井または壁の設置面に固定され、前記パネルスピーカは、第１収容凹部を第２収容凹部に嵌め込んだ状態で、フレームのフック部が固定兼遮音パネルのフック受け部に係止固定されることで、天井または壁の設置面に取付けられるようになり、さらに、前記フレームの第１収容凹部と固定兼遮音パネルの第２収容凹部との間に空隙が形成され、前記固定兼遮音パネルの第２収容凹部の底部は中空部に形成され、この中空部に吸音材が充填されていることを特徴とするパネルスピーカ取付構造を提供するものである。
【００１２】
請求項２のように、請求項１において、前記固定兼遮音パネルの第２収容凹部の底部に、不均一に配列された複数の制振用リブが取付けられていることが好ましい。
【発明の効果】
【００１３】
本発明によれば、天井または壁の設置面のパネルスピーカの取付開口部の奥方位置に、パネルスピーカの加振器と離間して対向する遮音手段である第２収容凹部が配置されている。これにより、パネルスピーカの後部から発生する音が遮音手段で遮音されて、空気を通じて振動が伝播する空気伝播による音漏れを防止でき、上階等に音が漏れないようになる。
【００１４】
また、第２収容凹部を取付開口部に嵌め込んだ状態で、固定兼遮音パネルを天井等の設置面に固定するとともに、第１収容凹部を第２収容凹部に嵌め込んだ状態で、フレームを固定兼遮音パネルに固定する。これにより、フレームの第１収容凹部は、固定兼遮音パネルの第２収容凹部で覆われるから、パネルスピーカの後部から発生する音が第２収容凹部で遮音されて、空気を通じて振動が伝播する空気伝播による音漏れを防止でき、上階等に音が漏れないようになる。
【００１５】
また、固定パネルに、遮音用の第２収容凹部を形成することで、固定パネルが遮音パネルを兼用する固定兼遮音パネルとすることができる。
【００１６】
さらに、第１収容凹部と第２収容凹部との間に空隙を形成することにより、接続部分を通じて振動が伝播する固定伝播による音漏れを防止できるようになる。
【００１７】
また、第２収容凹部の底部の中空部に吸音材を充填することにより、中空部に侵入した音エネルギーを外部に漏らすことなく、内部の吸音材で減衰できるので、外部へ漏れる音エネルギーが減少して、より効果的に音漏れを防止できるようになる。
【００１８】
請求項２によれば、第２収容凹部の底部に、複数の制振用リブを取付けることにより、底部を制振することで、空気伝播による音漏れをより効果的に防止できるようになる。また、複数の制振用リブを不均一に配列することで、不要な定在波や高調波が発生しなくなる。
【発明を実施するための最良の形態】
【００１９】
以下、本発明を実施するための最良の形態について、図面を参照しながら詳細に説明する。
【００２０】
図１は、第１実施形態である。パネルスピーカ１は、天井等の設置面２の方向に突出する第１収容凹部３ａを有するフレーム３を備えている。また、このフレーム３の前面に取付けられる振動板４と、第１収容凹部３ａに収容されて、振動板４の後面中央領域で、第１収容凹部３ａの底面と振動板４の後面とに取付けられる加振器５とを備えている。このパネルスピーカ１は、平面視で略四角形状であるが、略丸形状等であっても良い。
【００２１】
また、フレーム３の後面に対面する対面部９ａと、設置面２の方向に突出して、フレーム３の第１収容凹部３ａを収容可能な第２収容凹部（遮音手段）９ｂとを形成した固定兼遮音パネル９が設けられている。この固定兼遮音パネル９は、例えば鉄板製である。
【００２２】
固定兼遮音パネル９の第２収容凹部９ｂの底部は、二重の鉄板で封止された中空部９ｄに形成され、この中空部９ｄに吸音材１０が充填されている。吸音材１０としては、グラスウール等が好ましく、これを圧縮して充填することにより、より薄型化が可能であると同時に、遮音性能の向上も可能となる。
【００２３】
また、フレーム３の第１収容凹部３ａと固定兼遮音パネル９の第２収容凹部９ｂとの間に空隙Ｓが形成されている。なお、この空隙Ｓにも、吸音材１０を充填することが好ましく、より効果的に音漏れを防止できるようになる。
【００２４】
天井等の設置面２には、固定兼遮音パネル９の第２収容凹部９ｂの取付開口部２ａが形成されて、固定兼遮音パネル９は、第２収容凹部９ｂが取付開口部２ａに嵌め込まれた（納められた）状態で、天井等の設置面２にビス等で固定されるようになる。
【００２５】
そして、パネルスピーカ１は、フレーム３の第１収容凹部３ａを固定兼遮音パネル９の第２収容凹部９ｂに嵌め込んだ状態で、フレーム３のフック部３ｃが固定兼遮音パネル９のフック受け部９ｃに係止固定される。これにより、天井等の設置面２に取付けられるようになる。
【００２６】
第１実施形態であれば、第２収容凹部９ｂを取付開口部２ａに嵌め込んだ状態で、固定兼遮音パネル９を天井等の設置面２に固定するとともに、第１収容凹部３ａを第２収容凹部９ｂに嵌め込んだ状態で、フレーム３を固定兼遮音パネル９に固定する。
【００２７】
これにより、フレーム３の第１収容凹部３ａは、固定兼遮音パネル９の第２収容凹部９ｂで覆われるようになる。したがって、パネルスピーカ１の後部から発生する音ａが第２収容凹部９ｂで遮音されて、空気を通じて振動が伝播する空気伝播による音漏れを防止でき、上階の床７等から上室等に等に音が漏れないようになる。
【００２８】
また、固定パネルに、遮音用の第２収容凹部９ｂを形成することで、固定パネルが遮音パネルを兼用する固定兼遮音パネル９とすることができる。
【００２９】
さらに、フレーム３の第１収容凹部３ａと固定兼遮音パネル９の第２収容凹部９ｂとの間に空隙（遮音手段）Ｓを形成することにより、接続部分を通じて振動が伝播する固定伝播による音漏れを防止できるようになる。
【００３０】
さらにまた、固定兼遮音パネル９の第２収容凹部９ｂの底部の中空部９ｄに吸音材（遮音手段）１０を充填している。これにより、中空部９ｄに侵入した音エネルギーを外部に漏らすことなく、内部の吸音材１０で減衰できるので、外部へ漏れる音エネルギーが減少して、より効果的に音漏れを防止できるようになる。特に、底部の中空部９ｄに吸音材１０を充填する代わりに、同じ厚さを持つ鉄板等とすれば、同等の遮音性能を得ることができるが、重量が増加するので、天井等に取付けるパネルスピーカ１としては好ましくない。これに対して、底部の中空部９ｄに吸音材１０を充填すれば、軽量化が可能となるので、天井等に取付けるパネルスピーカ１としては好適となる。
【００３１】
図２および図３は、第２実施形態である。第１実施形態と相違するのは、固定兼遮音パネル９の第２収容凹部９ｂの底部の外面に、不均一に配列した複数の制振用リブ（遮音手段）１１を取付けたことである。なお、第１実施形態の構成に第２実施形態の構成を組み合わせて使用することも可能である。
【００３２】
制振用リブ１１は、第２収容凹部９ｂの底部の内面に取付けることもできる。また、リブ１１は、棒状以外に、円形状や波形状であっても良い。また、第２収容凹部９ｂは、平面視で正方形である必要は無く、いびつな形状、あるいは楕円形であっても良い。
【００３３】
第２実施形態であれば、第２収容凹部９ｂの底部に、複数の制振用リブ１１を取付けることにより、底部を制振することで、空気伝播による音漏れをより効果的に防止できるようになる。また、複数の制振用リブ１１を不均一に配列することで、不要な定在波や高調波が発生しなくなる。
【図面の簡単な説明】
【００３４】
【図１】本発明の第１実施形態のパネルスピーカ取付構造の断面図である。
【図２】本発明の第２実施形態のパネルスピーカ取付構造の断面図である。
【図３】図２の要部平面図である。
【図４】背景技術のパネルスピーカ取付構造の断面図である。
【符号の説明】
【００３５】
１    パネルスピーカ
２    設置面
２ａ  取付開口部
３    フレーム
３ａ  第１収容凹部
４    振動板
５    加振器
９    固定兼遮音パネル
９ａ  対向面
９ｂ  第２収容凹部（遮音手段）
９ｄ  中空部
１０  吸音材（遮音手段）
１１  制振用リブ（遮音手段）
Ｓ    空隙（遮音手段）
【図１】
0005107794.tif 000002
【図２】
0005107794.tif 000003
【図３】
0005107794.tif 000004
【図４】
0005107794.tif 000005